(57)【要約】【課題】  固定金具を介して電柱や吊線に吊下げられている集約装置に、容易に取り付け可能で、日射を遮る吊下式筺体用遮光カバーを提供する。【解決手段】  固定金具１１１を介して吊下げられている集約装置１１０の吊下式筺体用遮光カバー１であって、集約装置１１０を中心として対向して設けられ、集約装置１１０の上部を覆うことが可能なカバー２、３と、カバー２、３の少なくともいずれかに形成され、固定金具１１１が進入可能な切欠部２３Ａ、２３Ｂ、３３Ａ、３３Ｂと、を備え、カバー２、３とを離す方向に揺動させた状態では、集約装置１１０の幅よりも大となり、カバー２の上側内端とカバー３の上側内端とを密着させた状態では、切欠部２３Ａ、２３Ｂ、３３Ａ、３３Ｂに固定金具１１１が進入するとともに、集約装置１１０の少なくとも上部がカバー２、３で覆われる。【選択図】  図１
2014135813.tif 000002
【特許請求の範囲】
【請求項１】
固定金具を介して吊下げられている筺体を光から保護する吊下式筺体用遮光カバーであって、
前記筐体を中心として対向して設けられ、少なくとも前記筐体の上部を覆うことが可能な第１のカバーおよび第２のカバーと、
前記第１のカバーおよび前記第２のカバーの少なくともいずれかに形成され、前記固定金具が進入可能な切欠部と、
を備え、
前記第１のカバーと前記第２のカバーとは、揺動自在に連結されており、前記第１のカバーと前記第２のカバーとを離す方向に揺動させた状態では、前記第１のカバーの上側内端と前記第２のカバーの上側内端との距離が前記筺体の幅よりも大となり、前記第１のカバーの上側内端と前記第２のカバーの上側内端とを密着させた状態では、前記切欠部に前記固定金具が進入するとともに、前記筺体の少なくとも上部が前記第１のカバーおよび前記第２のカバーで覆われる、
ことを特徴とする吊下式筺体用遮光カバー。
【請求項２】
前記第１のカバーの上部と前記第２のカバーの上部には、前記筐体の長手方向の端部よりも外方に延びる、ひさし部が形成されていることを特徴とする請求項１に記載の吊下式筺体用遮光カバー。
【請求項３】
前記第１のカバーの上側内端と前記第２のカバーの上側内端とを密着させた状態では、前記第１のカバーの下側内端と前記第２のカバーの下側内端との間が開口する、
ことを特徴とする請求項１または２に記載の吊下式筺体用遮光カバー。
【請求項４】
前記第１のカバーと前記第２のカバーは、断熱構造を有している、
ことを特徴とする請求項１から３のいずれか１項に記載の吊下式筺体用遮光カバー。
【発明の詳細な説明】
【技術分野】
【０００１】
この発明は、固定金具を介して吊下げられている筺体を日射から保護する吊下式筺体用遮光カバーに関する。
【背景技術】
【０００２】
例えば、スマートメータ集約装置は、各家庭に配設されたスマートメータから検針データを収集する機能を有し、データを電力会社側のデータセンタに送信するための通信機器や電源装置などが筺体内に収納されているものである。このスマートメータ集約装置は、電柱や吊線に固定金具を介して吊下げられているため、日光が直接照射して、特に夏期には非常に高温になってしまう。スマートメータ集約装置が高温になることによって、筺体内の通信機器や電源装置などが故障するおそれがあるため、筺体の外表面に遮熱塗装を施して温度上昇を抑制している。
【０００３】
しかしながら、遮熱塗装によって温度上昇を抑制したとしても、日射を遮るものではないため、日射が強い場合には遮熱塗装による温度上昇の抑制効果だけでは不十分であるおそれがあった。
【０００４】
屋外に設置されているガスメータについて、直射日光などから保護するガス配管設備の保護構造に関する技術が知られている（特許文献１参照。）。この技術は、ガス入口部とガス出口部とを含むメータ本体の上方及びガス栓の上方を全域的に覆う庇板を設け、庇板は、ガス配管又はメータ本体の支持部材等に後付けにて固定可能な支持体に取り付けられているものである。
【先行技術文献】
【特許文献】
【０００５】
【特許文献１】特開２００７−０７８４５８号公報
【発明の概要】
【発明が解決しようとする課題】
【０００６】
しかしながら、特許文献１に記載の技術は、ガスメータが対象であり、地上で取り付け作業を行うことができる。また、庇板でメータ本体の上方及びガス栓の上方を覆うため、正面側や側面側からの日射を遮ることはできない。
【０００７】
これに対して、例えば、スマートメータ集約装置などのように固定金具を介して電柱や吊線に吊下げられている筺体は、取り付けに高所作業が必要であるため、容易に取り付けできるものが望まれていた。また、筺体は固定金具を介して吊線に吊下げられているため、上面に加えて側面、正面、背面からの日射を遮る必要がある。
【０００８】
そこで本発明は、固定金具を介して電柱や吊線に吊下げられている筺体に、容易に取り付け可能で、日射を遮る吊下式筺体用遮光カバーを提供することを目的とする。
【課題を解決するための手段】
【０００９】
上記目的を達成するために請求項１に記載の発明は、固定金具を介して吊下げられている筺体を光から保護する吊下式筺体用遮光カバーであって、前記筐体を中心として対向して設けられ、少なくとも前記筐体の上部を覆うことが可能な第１のカバーおよび第２のカバーと、前記第１のカバーおよび前記第２のカバーの少なくともいずれかに形成され、前記固定金具が進入可能な切欠部と、を備え、前記第１のカバーと前記第２のカバーとは、揺動自在に連結されており、前記第１のカバーと前記第２のカバーとを離す方向に揺動させた状態では、前記第１のカバーの上側内端と前記第２のカバーの上側内端との距離が前記筺体の幅よりも大となり、前記第１のカバーの上側内端と前記第２のカバーの上側内端とを密着させた状態では、前記切欠部に前記固定金具が進入するとともに、前記筺体の少なくとも上部が前記第１のカバーおよび前記第２のカバーで覆われる、ことを特徴とする吊下式筺体用遮光カバーである。
【００１０】
この発明によれば、第１のカバーと第２のカバーとは、筐体を中心として対向して設けられ、揺動自在に配設されており、第１のカバーと第２のカバーとを離す方向に揺動させた状態では、第１のカバーの上側内端と第２のカバーの上側内端との距離が筺体の幅よりも大きく開口される。また、第１のカバーの上側内端と第２のカバーの上側内端とを密着させた状態では、切欠部に固定金具が進入するとともに、筺体の少なくとも上部が第１のカバーおよび第２のカバーで覆われる。
【００１１】
請求項２に記載の発明は、請求項１に記載の吊下式筺体用遮光カバーにおいて、前記第１のカバーの上部と前記第２のカバーの上部には、前記筐体の長手方向の端部よりも外方に延びる、ひさし部が形成されていることを特徴とする。
【００１２】
請求項３に記載の発明は、請求項１または２に記載の吊下式筺体用遮光カバーにおいて、前記第１のカバーの上側内端と前記第２のカバーの上側内端とを密着させた状態では、前記第１のカバーの下側内端と前記第２のカバーの下側内端との間が開口する、ことを特徴とする
【００１３】
請求項４に記載の発明は、請求項１から３のいずれか１項に記載の吊下式筺体用遮光カバーにおいて、前記第１のカバーと前記第２のカバーは、断熱構造を有している、ことを特徴とする。
【発明の効果】
【００１４】
請求項１に記載の発明によれば、第１のカバーと第２のカバーとを離す方向に揺動させた状態では、第１のカバーの上側内端と第２のカバーの上側内端との距離が筺体の幅よりも大きく開口するので、固定金具を介して吊下げられている筺体にそのまま取り付けることができる。
【００１５】
また、第１のカバーの上側内端と第２のカバーの上側内端とを密着させた状態では、切欠部に固定金具が進入できるので、固定金具を介して吊下げられている筺体にそのまま取り付けることができる。また、吊下式筺体用遮光カバーによって、筺体の少なくとも上部が第１のカバーおよび第２のカバーで覆って、遮光することができる。
【００１６】
請求項２に記載の発明によれば、第１のカバーの上部と第２のカバーの上部には、筐体の長手方向の端部よりも外方に延びる、ひさし部が形成されているので、太陽が真上以外に位置する場合、すなわち、斜め方向から日光が照射する場合であっても、遮光することができる。
【００１７】
請求項３に記載の発明によれば、第１のカバーの上側内端と第２のカバーの上側内端とを密着させた状態では、第１のカバーの下側内端と第２のカバーの下側内端との間が開口しているので、吊下式筺体用遮光カバーと筺体との隙間（空間部）に熱が籠ることを防止することができる。すなわち、日射によって温度上昇した吊下式筺体用遮光カバーの熱が、筺体に伝導することを抑制することができる。
【００１８】
請求項４に記載の発明によれば、第１のカバーと第２のカバーは、断熱構造を有しているので、吊下式筺体用遮光カバー自体の温度上昇を抑制し、吊下式筺体用遮光カバーによる断熱効果をより高めることができる。
【図面の簡単な説明】
【００１９】
【図１】本発明の実施の形態に係る吊下式筺体用遮光カバーを、吊線に吊下げられたスマートメータ集約装置に取り付けた状態を示す斜視図である。
【図２】図１の吊下式筺体用遮光カバーでスマートメータ集約装置を保護した状態を示す左側面図である。
【図３】図１の吊下式筺体用遮光カバーでスマートメータ集約装置を保護した状態を示す上面図である。
【図４】図１の吊下式筺体用遮光カバーでスマートメータ集約装置を保護した状態を示す底面図である。
【図５】図１の吊下式筺体用遮光カバーをスマートメータ集約装置に取り付ける状態を示す左側面図である。
【図６】図１の吊下式筺体用遮光カバーをスマートメータ集約装置に取り付ける状態を示す左側面図である。
【発明を実施するための形態】
【００２０】
つぎに、この発明の実施の形態について、図面を用いて詳しく説明する。
【００２１】
図１ないし図６は、本発明の実施の形態を示している。吊下式筺体用遮光カバー１は、固定金具を介して吊下げられている筺体に用いられるものであり、この実施の形態においては、図１に示すように、固定金具１１１を介して吊線１００に吊下げられているスマートメータ集約装置（集約装置）１１０に使用する場合について説明する。
【００２２】
図１は、吊下式筺体用遮光カバー１の全体を示している。吊下式筺体用遮光カバー１は、主として、第１のカバー２と、第２のカバー３と、ロック手段４、５と、スライド手段６、７と、脱落防止手段８、９とを備えている。
【００２３】
第１のカバー２は、集約装置１１０を中心として対向して設けられ、少なくとも集約装置１１０の上部を覆うものである。第１のカバー２は、湾曲して形成され、略直線状の上周縁部２ａが略直線状の下周縁部２ｂよりも長く形成されており、集約装置１１０の長手方向の端部よりも外方に延びる、ひさし部２１、２２が形成されている。ひさし部２１、２２は、吊下式筺体用遮光カバー１に収容された集約装置１１０よりも張り出すように形成されており、斜め上方からの日光を遮光可能になっている。また、上周縁部２ａの中央部には、固定金具が進入可能な２つの切欠部２３Ａ、２３Ｂが所定間隔、すなわち、集約装置１１０の固定金具１１１の配設位置に対応する位置に配設されている。この切欠部２３Ａ、２３Ｂは、第１のカバー２の上周縁部２ａと第２のカバー３の上周縁部３ａとを密着させた状態で、後述する切欠部２３Ａ、２３Ｂとともに、方形状の開口を形成するようになっている。切欠部２３Ａと３３Ａ、２３Ｂと３３Ｂによって形成された方形状の開口は、固定金具１１１の外周よりも大きい内周を有している。
【００２４】
図１、図２に示すように、第１のカバー２の下側外周の一端側より略４分の１の位置には、ガイド溝２４が形成されている。ガイド溝２４は後述するスライド手段６のスライド部６１がスライド自在となるように大きさ、形状が設定されている。また、第１のカバー２の下側外周の他端側より略４分の１の位置には、同様に形成されたガイド溝２５が形成されており、後述するスライド手段７のスライド部７１がスライド自在となっている。また、第１のカバー２は、可橈性を有し絶縁性を有する材料、例えば、合成樹脂などで構成されおり、内部に空洞２Ｓを有する断熱構造となっている。
【００２５】
第２のカバー３は、第１のカバー２と略対称に形成されており、湾曲して形成され、略直線状の上周縁部３ａが略直線状の下周縁部３ｂよりも長く形成されており、上集約装置１１０の長手方向の端部よりも外方に延びる、ひさし部３１、３２が形成されている。ひさし部３１、３２は、吊下式筺体用遮光カバー１に収容された集約装置１１０よりも張り出すように配設されており、斜め上方からの日光を遮光可能になっている。また、上周縁部３ａの中央部には、固定金具が進入可能な２つの切欠部３３Ａ、３３Ｂが所定間隔、すなわち、集約装置１１０の固定金具１１１の配設位置に対応する位置に配設されている。
【００２６】
図１、図２に示すように、第２のカバー３の下側外周の一端側より略４分の１の位置には、ガイド溝３４が形成されている。ガイド溝３４は後述するスライド手段６のスライド部６１がスライド自在となるように大きさ、形状が設定されている。また、第２のカバー３の下側外周の他端側より略４分の１の位置には、同様に形成されたガイド溝３５が形成されており、後述するスライド手段７のスライド部７１がスライド自在となっている。また、第２のカバー３は、可橈性を有し絶縁性を有する材料、例えば、合成樹脂などで構成されおり、内部に空洞３Ｓを有する断熱構造となっている。
【００２７】
図２、図３に示すように第１のカバー２の上周縁部２ａと第２のカバー３の上周縁部３ａとを密着させた状態では、図１に示すように円柱の端部を上部から下部に向けて斜めに切断したような形状となっている。図２に示すように、第１のカバー２および第２のカバー３と、集約装置１１０との間には隙間（空間部Ｓ）が形成されており、集約装置１１０を収容可能となっている。このとき、図４に示すように第１のカバー２の下周縁部２ｂと第２のカバー３の下周縁部３ｂとは、離れている。
【００２８】
ロック手段４は、図３に示すように第１のカバー２の上側外周の一端側より略４分の１の位置に配設されたバンド４１と、バンド４１と係止可能であって、第２のカバー３の上側外周の一端側より略４分の１の位置に配設された留具４２とを備えている。すなわち、バンド４１を留具４２に係止することにより、第１のカバー２の上周縁部２ａと第２のカバー３の上周縁部３ａとを密着させた状態で固定可能となっている。また、同様の機能を有するロック手段５が、第１のカバー２および第２のカバー３の上側外周の他端側に配設されている。
【００２９】
スライド手段６は、図１、図２に示すように第１のカバー２および第２のカバー３の下側外周の一端側より略４分の１の位置に配設されたスライド部６１を備えており、第１のカバー２のガイド溝２４および第２のカバー３のガイド溝３４に沿ってスライド自在となっている。また、同様の機能を有するスライド手段７が、第１のカバー２および第２のカバー３の下側外周の他端側に配設されており、第１のカバー２のガイド溝２５および第２のカバー３のガイド溝３５に沿ってスライド自在となっている。図５に示すように、スライド部６１、７１が、ガイド溝２４および３４、２５および３５の上端側に位置している場合は、第１のカバー２の上周縁部２ａと第２のカバー３の上周縁部３ａとは、離れており、割れた（開いた）状態となっている。このとき、第１のカバー２の上周縁部２ａと第２のカバー３の上周縁部３ａとの距離ｄ１は、集約装置１１０の幅ｄ２よりも大に設定されている。また、図２に示すように、スライド部６１、７１が、ガイド溝２４および３４、２５および３５の下端側に位置している場合は、第１のカバー２の上周縁部２ａと第２のカバー３の上周縁部３ａとは、密着しており、閉じた状態となっている。
【００３０】
脱落防止手段８は、ロック手段４、５のロックを解除し、吊下式筺体用遮光カバー１を開いた際に、吊下式筺体用遮光カバー１を吊線１００に固定し、脱落しないようにするためのものである。脱落防止手段８は、第２のカバー３のひさし部３１に形成されており、保持紐８１と固定リング８２とを備えている。保持紐８１の一端側は、ひさし部３１に固定されており、他端側が固定リング８２を介して吊線１００に固定されている。また、同様の機能を有する脱落防止手段９が、ひさし部３２に配設されている。
【００３１】
つぎに、吊下式筺体用遮光カバー１の取付手順および作用について説明する。
【００３２】
まず、図５に示すように、ロック手段４、５のロックが解除され、スライド部６１、７１をスライドさせて、第１のカバー２の上周縁部２ａと第２のカバー３の上周縁部３ａとを離す方向に揺動して開いた状態にして、集約装置１１０の下方に位置させる。
【００３３】
そして、図６に示すように、吊下式筺体用遮光カバー１が上方に持ち上げられて、開いた状態の第１のカバー２の上周縁部２ａと第２のカバー３の上周縁部３ａとの間から、集約装置１１０が吊下式筺体用遮光カバー１の内部、すなわち、空間部Ｓに収容される。
【００３４】
そして、スライド部６１、７１をスライドさせて、第１のカバー２の上周縁部２ａと第２のカバー３の上周縁部３ａを密着する方向に接近させる。このとき、集約装置１１０の固定金具１１１に対応する位置には、切欠部２３Ａと３３Ａ、２３Ｂと３３Ｂによって方形状の開口が形成される。
【００３５】
そして、図２に示すように、ロック手段４、５のバンド４１、５１と、留具４２、５２とが係止されて、第１のカバー２の上周縁部２ａと第２のカバー３の上周縁部３ａとが密着した状態で固定される。また、切欠部２３Ａと３３Ａ、２３Ｂと３３Ｂにより形成された方形状の開口によって固定金具１１１が囲われる。このようにして、固定金具１１１を介して吊線１００に吊下げられている集約装置１１０に、吊下式筺体用遮光カバー１が取り付けられる。
【００３６】
集約装置１１０の点検作業などのために、取り付けた吊下式筺体用遮光カバー１を一時的に取り外す場合は、ロック手段４、５のロックが解除され、スライド部６１、７１をスライドさせて、第１のカバー２の上周縁部２ａと第２のカバー３の上周縁部３ａとを離す方向に揺動して開いた状態として、集約装置１１０の下方に移動させる。このとき、脱落防止手段８、９によって、吊下式筺体用遮光カバー１は、吊線１００に固定された状態となっている。
【００３７】
以上のように、この吊下式筺体用遮光カバー１によれば、第１のカバー２と第２のカバー３とを離す方向に揺動して開いた状態では集約装置１１０の幅よりも大きく開口するので、固定金具１１１を介して吊下げられている集約装置１１０を取り外すことなく、そのまま取り付けることができる。このとき、ロック手段４、５、スライド手段６、７によって、誰でも簡単に正確な位置に取り付けることが出来る。
【００３８】
すなわち、ロック手段４、５、スライド手段６、７によって、吊下式筺体用遮光カバー１は開閉可能であり、かつ、吊下式筺体用遮光カバー１の長手方向の端面側は開口しているため、吊線１００およびケーブル１２０、１３０と干渉しないので、固定金具１１１を介して吊線１００に吊下げられている集約装置１１０を取り外すことなく、吊下式筺体用遮光カバー１を後付けすることができる。
【００３９】
また、第１のカバー２の上周縁部２ａと第２のカバー３の上周縁部３ａとを近接させた状態では、固定金具１１１の配設位置に切欠部２３Ａと３３Ａ、２３Ｂと３３Ｂによって方形状の開口が形成されるので、固定金具１１１を介して吊下げられている集約装置１１０にそのまま取り付けることができる。このとき、方形状の開口によって固定金具１１１が囲われるので、集約装置１１０に対して吊下式筺体用遮光カバー１がずれることを防止できる。
【００４０】
また、ひさし部２１、３１が形成されていることによって、太陽が真上以外に位置している場合であっても、集約装置１１０を確実に遮光することができる。
【００４１】
さらに、第１のカバー２の上周縁部２ａと第２のカバー３の上周縁部３ａとを密着させた状態では、第１のカバー２の下周縁部２ｂと第２のカバーの下周縁部３ｂとが離れて開口しているので、吊下式筺体用遮光カバー１と集約装置１１０との空間部Ｓに熱が籠ることを防止することができる。
【００４２】
さらにまた、第１のカバー２および第２のカバー３は、内部に空洞２Ｓ、３Ｓを有する断熱構造であるため、吊下式筺体用遮光カバー１による断熱効果をより高めることができる。また、第１のカバー２および第２のカバー３は内部に空洞２Ｓ、３Ｓを有するので、吊下式筺体用遮光カバー１が軽量化される。
【００４３】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、吊線１００に吊下げられている集約装置１１０に使用する場合について説明したが、この場所に限られるものではなく、電柱に吊下げられている場合であっても、切欠部の大きさ、形状、配設位置を調節することにより取り付けることが出来ることはもちろんである。
【符号の説明】
【００４４】
１        吊下式筺体用遮光カバー
２        第１のカバー
２ａ      上周縁部
２ｂ      下周縁部
２１、２２      ひさし部
２３Ａ、２３Ｂ  切欠部
２４      ガイド溝
２Ｓ      空洞部
３        第２のカバー
３ａ      上周縁部
３ｂ      下周縁部
３１、３２      ひさし部
３３Ａ、３３Ｂ  切欠部
３４      ガイド溝
３Ｓ      空洞部
４        ロック手段
５        ロック手段
６        スライド手段
７        スライド手段
８        脱落防止手段
９        脱落防止手段
１００    吊線
１１０    スマートメータ集約装置（集約装置、筺体）
１１１    固定金具
１２０    ケーブル（電源ケーブル、光ケーブル）
１３０    ケーブル（電源ケーブル、光ケーブル）
【図１】
2014135813.tif 000003
【図２】
2014135813.tif 000004
【図３】
2014135813.tif 000005
【図４】
2014135813.tif 000006
【図５】
2014135813.tif 000007
【図６】
2014135813.tif 000008